(57)【要約】【課題】  開示する移動店舗は、貨物自動車の荷台を利用し、取扱商品・サービスの観点において汎用性の高い移動販売用店舗として容易に構築することができる。【解決手段】  開示する移動店舗は、複数の店舗構成ユニットを連接させて構築する移動店舗であって、各前記店舗構成ユニットが、当該移動店舗が備えるべき機能の構成要素のうち、各々異なる機能を備え、フォークリフト等で荷物を載せたまま運ぶための器具であるパレット上に設置され、前記フォークリフトを利用して、荷台側方全体において前記荷台床面と同じ高さから荷物の出し入れが可能な貨物自動車の前記荷台上に、前記荷台の前後方向に並べて載置され、前記荷台上に載置された前記複数の店舗構成ユニットが、当該移動店舗が備えるべき機能を備えることを特徴とする。【選択図】図５
2018114905.tif 000002
【特許請求の範囲】
【請求項１】
複数の店舗構成ユニットを連接させて構築する移動店舗であって、
各前記店舗構成ユニットが、
当該移動店舗が備えるべき機能の構成要素のうち、各々異なる機能を備え、
フォークリフト等で荷物を載せたまま運ぶための器具であるパレット上に設置され、
前記フォークリフトを利用して、荷台側方全体において前記荷台床面と同じ高さから荷物の出し入れが可能な貨物自動車の前記荷台上に、前記荷台の前後方向に並べて載置され、
前記荷台上に載置された前記複数の店舗構成ユニットが、当該移動店舗が備えるべき機能を備えることを特徴とする移動店舗。
【請求項２】
前記貨物自動車が、前記荷台側方に側アオリを備え、
前記側アオリを前記荷台下方に解放させた後、前記各店舗構成ユニットを前記荷台上に設置することを特徴とする請求項１に記載の移動店舗。
【請求項３】
前記荷台の態様が、前記荷台の側面が上方に開くウイングボディであることを特徴とする請求項２に記載の移動店舗。
【請求項４】
前記各店舗構成ユニットが、食物を加熱・調理するための機能、食物を冷凍・冷蔵して保管するための機能、汚れた調理器具・食器等を洗うための機能、物品・サービスの販売作業を行うための機能及び前記各店舗構成ユニットが備える器具へ電力を供給するための機能のうち何れか一つを備えることを特徴とする請求項１乃至３の何れか一に記載の移動店舗。
【請求項５】
前記各店舗構成ユニットが、前記フォークリフトが備えるフォークを挿通させる孔に設置される連結器具によって、平面方向に連結された２つの前記パレット上に構築されることを特徴とする請求項１乃至４の何れか一に記載の移動店舗。
【請求項６】
当該移動店舗の中間に配置される前記各店舗構成ユニットが、側面対向両側に、また、当該移動店舗の端部に配置される前記各店舗構成ユニットが、側面一方に、同じ大きさの開口部を備え、
隣接する前記各店舗構成ユニットが、前記各店舗構成ユニットが備える前記開口部を合わせるように連接されることを特徴とする請求項１乃至５の何れか一に記載の移動店舗。
【請求項７】
隣接する前記各店舗構成ユニットの開口部間において、クッション部材を挟み込むように連接されることを特徴とする請求項６に記載の移動店舗。
【請求項８】
解放させた前記側アオリが水平となるように、前記側アオリを下方から支持する側アオリ支持具と、
水平に支持される前記側アオリに連結され、地面から前記側アオリへの昇降を容易にするための階段部材と、を有することを特徴とする請求項１乃至７の何れか一に記載の移動店舗。
【請求項９】
請求項１乃至８の何れか一に記載の前記移動店舗を、前記フォークリフトを利用して前記荷台上に設営する移動店舗の設営方法。
【請求項１０】
請求項１乃至８の何れか一に記載の前記移動店舗を前記荷台上に載置させた貨物自動車。
【請求項１１】
請求項１乃至８の何れか一に記載の前記移動店舗を前記荷台上に載置させて使用する貨物自動車の使用方法。
【発明の詳細な説明】
【技術分野】
【０００１】
本発明は、貨物自動車（トラック）の荷台上に構築する移動店舗（移動販売用建屋）の技術に関する。
【背景技術】
【０００２】
移動販売は、自動車を改造するなどして、常設店舗をもたず、場所を移動しながら販売する業態を指し、物品の小売やサービスの提供等、様々なものの取り扱いが可能である。例えば、飲食としては、ラーメン、うどん・そば、カレー、お好み焼き・たこ焼き、クレープ、ハンバーガー、おにぎり、パン、コーヒー、惣菜、弁当、アイスクリーム、丼物など様々なものの取り扱いが可能である。
【０００３】
一方、移動式建築物（例えば、トレーラハウス）は、ユニットを平面的、立体的に組み合わせて接続する構造であるため、増築及び縮小が可能であり、家主の都合により一旦完成した建築物の規模を拡張したり縮小したりしたい場合に有効である。
上記のようなユニット式の建築物に関する技術開発は盛んに行われており、例えば、特許文献１乃至３で示すような従来技術が存在する。
【先行技術文献】
【特許文献】
【０００４】
【特許文献１】特開２００４−１８３３６５号公報
【特許文献２】実開平７−０３８３０５号公報
【特許文献３】特開２００１−０８１９８６号公報
【発明の概要】
【発明が解決しようとする課題】
【０００５】
しかしながら、上記の従来技術においては、移動販売用の店舗を構築する場合、移動販売で取り扱う多種多様な物品・サービスに幅広く・柔軟に対応することができないという問題点がある。
【０００６】
また、上記の従来技術においては、移動販売用の店舗を構築するために自動車を改造する場合、その改造には高度な技術力が必要であり、また改造の手間が非常に煩雑であるという問題点がある。
【０００７】
そこで本発明では、上記問題点に鑑み、取り扱う商品・サービスの観点において汎用性の高い移動販売用店舗として容易に構築することができる、貨物自動車の荷台を利用した移動店舗を提供することを目的とする。
【課題を解決するための手段】
【０００８】
開示する移動店舗の一形態は、複数の店舗構成ユニットを連接させて構築する移動店舗であって、各前記店舗構成ユニットが、当該移動店舗が備えるべき機能の構成要素のうち、各々異なる機能を備え、フォークリフト等で荷物を載せたまま運ぶための器具であるパレット上に設置され、前記フォークリフトを利用して、荷台側方全体において前記荷台床面と同じ高さから荷物の出し入れが可能な貨物自動車の前記荷台上に、前記荷台の前後方向に並べて載置され、前記荷台上に載置された前記複数の店舗構成ユニットが、当該移動店舗が備えるべき機能を備えることを特徴とする。
【０００９】
開示する移動店舗の一形態は、上記構成に加え、前記貨物自動車が、前記荷台側方に側アオリを備え、前記側アオリを前記荷台下方に解放させた後、前記各店舗構成ユニットを前記荷台上に設置することを特徴とする。
開示する移動店舗の一形態は、上記構成に加え、前記荷台の態様が、前記荷台の側面が上方に開くウイングボディであることを特徴とする。
【００１０】
開示する移動店舗の一形態は、上記構成に加え、前記各店舗構成ユニットが、食物を加熱・調理するための機能、食物を冷凍・冷蔵して保管するための機能、汚れた調理器具・食器等を洗うための機能、物品・サービスの販売作業を行うための機能及び前記各店舗構成ユニットが備える器具へ電力を供給するための機能のうち何れか一つを備えることを特徴とする。
【００１１】
開示する移動店舗の一形態は、上記構成に加え、前記各店舗構成ユニットが、前記フォークリフトが備えるフォークを挿通させる孔に設置される連結器具によって、平面方向に連結された２つの前記パレット上に構築されることを特徴とする。
【００１２】
開示する移動店舗の一形態は、上記構成に加え、当該移動店舗の中間に配置される前記各店舗構成ユニットが、側面対向両側に、また、当該移動店舗の端部に配置される前記各店舗構成ユニットが、側面一方に、同じ大きさの開口部を備え、隣接する前記各店舗構成ユニットが、前記各店舗構成ユニットが備える前記開口部を合わせるように連接されることを特徴とする。
【００１３】
開示する移動店舗の一形態は、上記構成に加え、隣接する前記各店舗構成ユニットの開口部間において、クッション部材を挟み込むように連接されることを特徴とする。
【００１４】
開示する移動店舗の一形態は、上記構成に加え、解放させた前記側アオリが水平となるように、前記側アオリを下方から支持する側アオリ支持具と、水平に支持される前記側アオリに連結され、地面から前記側アオリへの昇降を容易にするための階段部材と、を有することを特徴とする。
【発明の効果】
【００１５】
開示する移動店舗は、貨物自動車の荷台を利用し、取扱商品・サービスの観点において汎用性の高い移動販売用店舗として容易に構築することができる。
【図面の簡単な説明】
【００１６】
【図１】本実施の形態に係る貨物自動車（荷台側面を閉じた状態）の側面図である。
【図２】本実施の形態に係る店舗構成ユニットの模式的正面図である。
【図３】本実施の形態に係る店舗構成ユニットを設置するパレットの態様を示す図である。
【図４】本実施の形態に係る店舗構成ユニットを設置するパレットの態様を示す図である。
【図５】本実施の形態に係る移動店舗を設置した貨物自動車の側面斜視図である。
【図６】本実施の形態に係る移動店舗の模式的正面図である。
【図７】本実施の形態に係る移動店舗の模式的平面図である。
【図８】本実施の形態に係る側アオリ支持具及び階段部材の態様を示す図である。
【発明を実施するための形態】
【００１７】
図面を参照しながら、本発明を実施するための形態について説明する。
（本実施の形態に係る移動店舗の構造）
図１乃至８を用いて、本実施の形態に係る移動店舗１について説明する。図１は、移動店舗１を設置する貨物自動車（トラック）２６の一例を示す図である。
【００１８】
図１で示すように、移動店舗１は、貨物自動車２６の荷台２８上に設営する移動販売用の建屋である。荷台２８は、側方３２全体に側アオリ３０を備え、側アオリ３０を下方に解放することによって、側方３２において荷台床面３４と同じ高さから荷物の出し入れが可能な形態である。なお、貨物自動車２６は、荷台２８がフラット型の汎用的なトラックである平ボディ車であっても良いが、荷台２８の側面が上方に開くウイングボディ車であることが好適である。
【００１９】
ウイングボディ車は、“箱車”と呼ばれるパネルバンやアルミバンの側面を跳ね上げて、荷台２８の横から荷物を載せることができる。側板と天井の一部を組み合わせた扉を跳ね上げた状態が鳥が翼を広げた状態を連想するので、ガルウイング車、側面開閉車と称されることもある。現在主流のウイングボディ車では、バンボディの側面を上下に２分割し、下半分は平ボディのあおり戸のように下に開き、上半分は屋根と一体で開閉するものが多い。
【００２０】
図２は、移動店舗１の構成要素である店舗構成ユニット２を正面から模式的に示した図である。図２（ａ）乃至（ｅ）で示すように、移動店舗１は、複数の店舗構成ユニット２を含み、それぞれの店舗構成ユニット２は、移動店舗１が備えるべき機能の構成要素のうち、各々異なる機能を備える。ここでいう“機能”は、“設備”、“器具”、“装置”などと言い換えることも可能である。
【００２１】
ここで、移動店舗１が備えるべき機能とは、移動店舗１が物販を行う店舗の場合、商品を陳列するための機能（棚等）、販売作業を行うための機能（商品の受け渡しを行い、代金の受け渡しを行うためのレジスターを備える台等）などが想定されるが、物販店舗が備えるべき機能であれば、これら以外のものであっても良い。
【００２２】
また、移動店舗１が飲食物の提供を行う店舗の場合、移動店舗１が備えるべき機能とは、食物を加熱・調理するための機能（コンロ、焼き釜、オーブン、電子レンジ等）、食物を冷凍・冷蔵して保管するための機能（冷凍庫、冷蔵庫等）、調理前の食品・汚れた調理器具・食器等を洗うための機能（洗い場、食洗機等）、販売作業を行うための機能（飲食物の受け渡しを行い、代金の受け渡しを行うためのレジスターを備える台等）、店舗構成ユニット２が備える器具へ電力を供給するための機能（発電機、ガスボンベ等）などが想定されるが、飲食物の提供を行う店舗が備えるべき機能であれば、これら以外のものであっても良い。この場合、店舗構成ユニット２は、それぞれ、調理ユニット４（例えば、図２（ｂ）（ｄ））、冷凍・冷蔵ユニット６（例えば、図２（ａ））、洗い場ユニット８（例えば、図２（ｃ））、事務ユニット１０（例えば、図２（ａ）（ｂ））、電源ユニット１２（例えば、図２（ｅ））などと考えることができる。
上記のように、店舗構成ユニット２は、移動店舗１が備えるべき機能に応じ、当該機能の構成要素として多種多様な機能を備えさせることができる。
【００２３】
図２で示すように、店舗構成ユニット２は、パレット２０の上に設置される。パレット２０とは、フォークリフト４４等で荷物を載せたまま運ぶための器具のことであり、パレット２０の側面には、フォークリフト４４が備えるフォークを挿通させる孔２２が備えられる。フォークリフト４４は、孔２２にフォークを挿通させた状態でパレット２０（店舗構成ユニット２）を運搬する（移動させる）。
【００２４】
図３及び４は、店舗構成ユニット２を設置するパレット２０の態様を示す図である。図３及び４で示すように、店舗構成ユニット２は、互いの孔２２を貫通するように設置される連結器具２４によって平面的に（平面方向に）連結された２つのパレット２０の上に設置されることが好適である。こうすることによって、連結された２つのパレット２０は、孔２２にフォークを挿通させた状態でフォークリフト４４によって運搬可能である上に、店舗構成ユニット２の設置面積を広くすることができる。そのため、荷台２８上を荷台２８の形状に合わせて有効活用することができ、また、店舗構成ユニット２に多種多様な機能を具備させることができる。
【００２５】
図２で示すように、店舗構成ユニット２はそれぞれ、側面に、同じ大きさの開口部１８を有する。後述するように、移動店舗１は、荷台２８上に、複数の店舗構成ユニット２を貨物自動車２６（荷台２８）の前後方向一列に連接させて構築（設営）する関係上、列の中間部分に位置するユニットを中間ユニット１４と呼び、列の端部に位置するユニットを端部ユニット１６と呼ぶ。中間ユニット１４は、その対向する両側面に開口部１８を有し、端部ユニット１６は、少なくとも一つの側面に開口部１８を有する。
【００２６】
図５は、移動店舗１を設置した貨物自動車２６の側面斜視図である。図６は、荷台２８上に設置した移動店舗１を正面から模式的に示した図であり、図７は、荷台２８上に設置した移動店舗１を上方から模式的に示した図である。図５乃至７で示すように、移動店舗１は、荷台２８上において、複数の店舗構成ユニット２を荷台２８の前後方向一列に連接させて構築する。店舗構成ユニット２を荷台２８上で連接させて構築（設営）する場合、隣り合う店舗構成ユニット２は、互いの開口部１８を合わせるように設置される。また、隣接する店舗構成ユニット２の開口部１８間には、ゴム等のクッション部材を挟み込むことが好適である。そうすることで、移動店舗１内への雨漏り・昆虫等の侵入を防止し、移動店舗１内の衛生状態を良くすることができる。
【００２７】
移動店舗１を荷台２８上に設営するとき、それぞれの店舗構成ユニット２は、側アオリ３０を荷台２８下方に解放させた後、フォークリフト４４のフォークを孔２２に挿通させた状態で荷台床面３４まで運ばれ、荷台床面３４上に載置される。貨物自動車２６がウイングボディ車である場合、それぞれの店舗構成ユニット２は、側アオリ３０を荷台２８下方に解放させると共に、荷台側面３２の上側（ウィングサイドパネル）を上方に跳ね上げた後、先と同様にして荷台床面３４上に載置される。貨物自動車２６がウイングボディ車である場合、上方に跳ね上げたウィングサイドパネルが移動店舗１の屋根となり、移動店舗１内への雨漏りを防止し、移動店舗１内の衛生状態を良くすることができる。また、移動店舗１への来場者の雨避けともなり、来場者の利便性を高めることに寄与する。
【００２８】
なお、店舗構成ユニット２の荷台２８上への設置の際、側アオリ３０を荷台２８下方に解放させる理由は、側アオリ３０が、フォークリフト４４による荷台２８へのパレット２０搬入の障害とならないようにするためである。同様の理由により、店舗構成ユニット２の荷台２８上への設置の際、ウィングサイドパネルは上方に跳ね上げる。
【００２９】
なお、荷台２８上に載置された全ての店舗構成ユニット２で提供可能な機能は、移動店舗１が備えるべき機能を包含する状態となっている。換言すれば、荷台２８上に載置された全ての店舗構成ユニット２で提供可能な機能によって、移動店舗１として提供すべき機能の全てが提供可能な状態となっている。
【００３０】
上記のように、移動店舗１は、荷台２８上に載置させる店舗構成ユニット２それぞれが備える機能及び店舗構成ユニット２の組合せを選択的に変更することによって、多種多様な機能を提供することができる。そのため、移動店舗１は、多種多様な商品・サービスを販売・提供可能な店舗となる。
【００３１】
図８は、側アオリ支持具４０及び階段部材４２の態様を示す図である。図８で示すように、移動店舗１は、側アオリ支持具４０、階段部材４２を有する。側アオリ支持具４０は、荷台２８下方に解放させた側アオリ３０が水平となるように、側アオリ３０を下方から支持する器具である。側アオリ支持具４０の一方は側アオリ３０に連結され、他方は貨物自動車２６が駐車されている地面（床面）に接地される。
階段部材４２は、側アオリ支持具４０によって水平に支持される側アオリ３０に連結され、地面から側アオリ３０への昇降を容易にするための器具である。
【００３２】
なお、側アオリ支持具４０によって水平に支持される側アオリ３０は、移動店舗１と同じ高さにおいて販売物の受け渡しを行うことを可能とし、移動店舗１への来場者の利便性を高めることに寄与する。
【００３３】
図５で示すように、移動店舗１は、水平に支持される側アオリ３０の端部や階段部材４２の端部に連結して使用する手摺部材を有する形態としても良い。これも移動店舗１への来場者の利便性を高めることに寄与する。
上記のように、移動店舗１は、構成要素である店舗構成ユニット２を適宜組み替えることによって、種々の販売物に対応可能な店舗とすることができる。
【００３４】
上記のように、移動店舗１は、フォークリフト４４によってパレット２０を荷台２８上に載置させるという簡便な作業によって、構築（設営）することができる。なお、パレット２０に構築される店舗構成ユニット２は予め用意されている。
【００３５】
また、本来の使用目的である荷物運搬の業務予定の無い貨物自動車２６について、移動店舗１を載置させ（設営し）、使用することによって、貨物自動車２６を保有する事業者は、保有する貨物自動車２６の稼働率を高め、事業全体の収益性を向上させることができる。
【００３６】
上記のように、移動店舗１は、水道、電気、ガス等のライフラインから独立・分離した形態で構築することが可能であるため、被災地における食料供給等の支援活動に役立てることができる。
（本実施の形態に係る移動店舗の使用方法）
【００３７】
図１乃至８を用いて、移動店舗１の使用方法について説明する。移動店舗１は、貨物自動車２６（の荷台２８）上に載置して構築されるため、貨物自動車２６を移動させることによって、移動店舗１を使用した移動販売は場所を選ばずに行うことができる。
【００３８】
移動店舗１は、要求される機能を充足するように、貨物自動車（の荷台２８）上に載置する店舗構成ユニット２を適宜選択することによって、物品の小売やサービスの提供等、様々なものを取り扱うことが可能な店舗とすることができる。例えば、飲食としては、ラーメン、うどん・そば、カレー、お好み焼き・たこ焼き、クレープ、ハンバーガー、おにぎり、パン、コーヒー、惣菜、弁当、アイスクリーム、丼物など様々なものの取り扱いが可能である。
【００３９】
移動店舗１の使用者は、物販の移動販売を行う場合、各店舗構成ユニット２に備えられる、商品を陳列する棚、及び、商品の受け渡しを行い、代金の受け渡しを行うためのレジスターを備える台等を利用して、使用者が希望する物品を販売することができる。
【００４０】
また、移動店舗１の使用者は、飲食物の提供を行う場合、各店舗構成ユニット２に備えられる、コンロ・焼き釜・オーブン・電子レンジ、冷凍庫・冷蔵庫、洗い場・食洗機、飲食物の受け渡しを行い、代金の受け渡しを行うためのレジスターを備える台、発電機・ガスボンベなどを利用して、使用者が希望する飲食物を調理し提供することができる。
【００４１】
移動店舗１の使用者は、側アオリ支持具４０によって水平に支持される側アオリ３０上に来場者を招き入れることによって、移動店舗１と同じ高さにおいて販売物の受け渡しを行うことができる。
【００４２】
以上、本発明の実施の形態について詳述したが、本発明は係る特定の実施の形態に限定されるものではなく、特許請求の範囲に記載された本発明の要旨の範囲において、種々の変形・変更が可能である。
【符号の説明】
【００４３】
１    移動店舗
２    店舗構成ユニット
４    調理ユニット
６    冷凍・冷蔵ユニット
８    洗い場ユニット
１０  事務ユニット
１２  電源ユニット
１４  中間ユニット
１６  端部ユニット
１８  開口部
２０  パレット
２２  フォークを挿通させる孔
２４  連結器具
２６  貨物自動車
２８  荷台
３０  側アオリ
３２  荷台側方（荷台側面）
３４  荷台床面
３６  貨物自動車（荷台）の前後方向
３８  クッション部材
４０  側アオリ支持具
４２  階段部材
４４  フォークリフト
【図１】
2018114905.tif 000003
【図２】
2018114905.tif 000004
【図３】
2018114905.tif 000005
【図４】
2018114905.tif 000006
【図５】
2018114905.tif 000007
【図６】
2018114905.tif 000008
【図７】
2018114905.tif 000009
【図８】
2018114905.tif 000010
【手続補正書】
【提出日】平成29年11月2日(2017.11.2)
【手続補正１】
【補正対象書類名】特許請求の範囲
【補正対象項目名】全文
【補正方法】変更
【補正の内容】
【特許請求の範囲】
【請求項１】
複数の店舗構成ユニットを連接させて構築する移動店舗であって、
箱形の各前記店舗構成ユニットが、
当該移動店舗が備えるべき機能の構成要素のうち、各々異なる機能を備え、
フォークリフト等で荷物を載せたまま運ぶための器具であるパレット上に設置され、
前記フォークリフトを利用して、荷台側方全体において前記荷台床面と同じ高さから荷物の出し入れが可能な貨物自動車の前記荷台上に、前記荷台の前後方向一列にそれぞれを連接させて載置され、
前記荷台上に載置された前記複数の店舗構成ユニットが、当該移動店舗が備えるべき機能を備えることを特徴とする移動店舗。
【請求項２】
前記貨物自動車が、前記荷台側方に側アオリを備え、
前記側アオリを前記荷台下方に解放させた後、前記各店舗構成ユニットを前記荷台上に設置することを特徴とする請求項１に記載の移動店舗。
【請求項３】
前記荷台の態様が、前記荷台の側面が上方に開くウイングボディであることを特徴とする請求項２に記載の移動店舗。
【請求項４】
前記各店舗構成ユニットが、食物を加熱・調理するための機能、食物を冷凍・冷蔵して保管するための機能、汚れた調理器具・食器等を洗うための機能、物品・サービスの販売作業を行うための機能及び前記各店舗構成ユニットが備える器具へ電力を供給するための機能のうち何れか一つを備えることを特徴とする請求項１乃至３の何れか一に記載の移動店舗。
【請求項５】
前記各店舗構成ユニットが、前記フォークリフトが備えるフォークを挿通させる孔に貫通するように設置される連結器具によって、前記荷台の左右方向に連結された２つの前記パレット上に構築されることを特徴とする請求項１乃至４の何れか一に記載の移動店舗。
【請求項６】
当該移動店舗の中間に配置される前記各店舗構成ユニットが、側面対向両側に、また、当該移動店舗の端部に配置される前記各店舗構成ユニットが、側面一方に、全て同じ大きさの開口部を備え、
隣接する前記各店舗構成ユニットが、前記各店舗構成ユニットが備える前記開口部を合わせるように連接されることを特徴とする請求項１乃至５の何れか一に記載の移動店舗。
【請求項７】
隣接する前記各店舗構成ユニットの開口部間において、クッション部材を挟み込むように連接されることを特徴とする請求項６に記載の移動店舗。
【請求項８】
解放させた前記側アオリが水平となるように、前記側アオリを下方から支持する側アオリ支持具と、
水平に支持される前記側アオリに連結され、地面から前記側アオリへの昇降を容易にするための階段部材と、を有することを特徴とする請求項１乃至７の何れか一に記載の移動店舗。
【請求項９】
請求項１乃至８の何れか一に記載の前記移動店舗を、前記フォークリフトを利用して前記荷台上に設営する移動店舗の設営方法。
【請求項１０】
請求項１乃至８の何れか一に記載の前記移動店舗を前記荷台上に載置させた貨物自動車。
【請求項１１】
請求項１乃至８の何れか一に記載の前記移動店舗を前記荷台上に載置させて使用する貨物自動車の使用方法。
【手続補正２】
【補正対象書類名】明細書
【補正対象項目名】０００８
【補正方法】変更
【補正の内容】
【０００８】
開示する移動店舗の一形態は、複数の店舗構成ユニットを連接させて構築する移動店舗であって、箱形の各前記店舗構成ユニットが、当該移動店舗が備えるべき機能の構成要素のうち、各々異なる機能を備え、フォークリフト等で荷物を載せたまま運ぶための器具であるパレット上に設置され、前記フォークリフトを利用して、荷台側方全体において前記荷台床面と同じ高さから荷物の出し入れが可能な貨物自動車の前記荷台上に、前記荷台の前後方向一列にそれぞれを連接させて載置され、前記荷台上に載置された前記複数の店舗構成ユニットが、当該移動店舗が備えるべき機能を備えることを特徴とする。
【手続補正３】
【補正対象書類名】明細書
【補正対象項目名】００１１
【補正方法】変更
【補正の内容】
【００１１】
開示する移動店舗の一形態は、上記構成に加え、前記各店舗構成ユニットが、前記フォークリフトが備えるフォークを挿通させる孔に貫通するように設置される連結器具によって、前記荷台の左右方向に連結された２つの前記パレット上に構築されることを特徴とする。
【手続補正４】
【補正対象書類名】明細書
【補正対象項目名】００１２
【補正方法】変更
【補正の内容】
【００１２】
開示する移動店舗の一形態は、上記構成に加え、当該移動店舗の中間に配置される前記各店舗構成ユニットが、側面対向両側に、また、当該移動店舗の端部に配置される前記各店舗構成ユニットが、側面一方に、全て同じ大きさの開口部を備え、隣接する前記各店舗構成ユニットが、前記各店舗構成ユニットが備える前記開口部を合わせるように連接されることを特徴とする。